(57)【要約】【課題】  厨房内に取り込んだ室外空気により、厨房内の汚れた空気を確実に室外へ排出し、厨房内空気を効率的に換気することが可能な換気システムを提供する。【解決手段】  厨房５０において加熱器具２０の使用に伴って発生する湯気や煙を含む室内空気を室外へ排出する排気用ファン１２と、厨房５０の壁面５０ａに設けられ、厨房５０と室外とを連通する連通孔１６と、連通孔１６から取り込んだ室外空気を厨房５０へ導く流路１８とにより構成され、流路１８の厨房側端部１８ａが加熱器具２０または加熱器具２０の近傍に設けられていることを特徴とする換気システム１０である。【選択図】        図１
2005195312.tif 000002
【特許請求の範囲】
【請求項１】
厨房内において加熱器具の使用に伴って発生する湯気や煙を含む室内空気を室外へ排出する排気用ファンと、
厨房内の壁面に設けられ、厨房内と室外とを連通する連通孔と、
前記連通孔から取り込んだ室外空気を厨房側へ導く流路とにより構成され、
前記流路の厨房側端部が加熱器具または加熱器具の近傍に設けられていることを特徴とする換気システム。
【請求項２】
厨房内において加熱器具の使用に伴って発生する湯気や煙を含む室内空気を室外へ排出する排気用ファンと、
厨房の壁面に設けられ、厨房内と室外とを連通する連通孔と、
前記加熱器具を載置する載置台と、
前記連通孔から取り込んだ室外空気を厨房側へ導く流路とにより構成され、
前記流路の厨房側端部は、前記載置台の上端面に設けられていることを特徴とする換気システム。
【請求項３】
厨房内において加熱器具の使用に伴って発生する湯気や煙を含む室内空気を室外へ排出する排気用ファンと、
室内の床面または壁面に設けられ、厨房内と室外とを連通する連通孔と、
前記加熱具を載置する載置台と、
前記連通孔から取り込んだ室外空気を厨房側へ導く流路とにより構成され、
前記流路の厨房側端部が加熱器具または加熱器具の近傍に設けられていることを特徴とする換気システム。
【請求項４】
厨房内において加熱器具の使用に伴って発生する湯気や煙を含む室内空気を室外へ排出する排気用ファンと、
室内の床面または壁面に設けられ、厨房内と室外とを連通する連通孔と、
前記加熱具を載置する載置台と、
前記連通孔から取り込んだ室外空気を厨房側へ導く流路とにより構成され、
前記流路の厨房側端部は、前記載置台の上端面に設けられていることを特徴とする換気システム。
【請求項５】
前記流路は床下空間を通過することを特徴とする請求項３または４に記載の換気システム。
【請求項６】
前記流路の一部が地下に埋設されていることを特徴とする請求項３〜５のうちのいずれか一項記載の換気システム
【請求項７】
前記載置台は前記加熱器具を載置する下方に物品の収納空間を備え、
当該収納空間が前記流路の一部を構成することを特徴とする請求項２または４に記載の換気システム。
【請求項８】
前記流路には、中間ファンが配設されていることを特徴とする請求項１〜７のうちのいずれか一項記載の換気システム。
【請求項９】
前記流路の厨房側端部は、前記加熱器具の外周縁を取り囲むように配置されていることを特徴とする請求項１〜８のうちのいずれか一項記載の換気システム。
【請求項１０】
前記流路の厨房側端部には室外空気を水平方向に吹き出させる風向板が取り付けられていることを特徴とする請求項1〜９のうちのいずれか一項記載の換気システム。
【請求項１１】
前記流路の中途部には、室外から厨房内に向けてのみ空気を通過させる逆止弁が設けられていることを特徴とする請求項１〜１０のうちのいずれか一項記載の換気システム。
【発明の詳細な説明】
【技術分野】
【０００１】
本発明は換気システムに関し、より詳細には、高気密住宅における厨房内で発生する湯気や煙を含む室内空気を効率的に室外に排出することが可能な換気システムに関する。
【背景技術】
【０００２】
従来の家屋は、至る所に僅かな隙間を有しているため、換気システムが配設されていなくても、室内空気が停滞することがなく、常に新鮮な室外空気が室内に流入していた。
ところが、近年においては気密性を高めた住宅が増加し、従来家屋のように隙間による室内と室外との間における空気の流出入量が激減している。また、近年の家屋において用いられている建材には、化学物質を含むものが多く、居住中においても化学物質の揮発が進み、室内空気の環境は劣悪なものになっている。
【０００３】
現在新築される家屋においては、以上のような室内空気の劣悪環境を改善するため、各居室における常時換気システムの設置が法令により義務付けられている。居室における常時換気システムは、室内外への空気の流通量のバランスが考慮されているが、厨房においては、高気密構造で構築されているのは居室と同様ではあるものの、室内外への空気の流通量についてはバランスがほとんど考慮されていない。
【０００４】
厨房における換気システムは、一般的に、換気扇により厨房内空気を室外に強制的に排出する点については注力されているが、室外側から厨房内への空気の供給についてはほとんど考慮されていない。このため換気システムとはならず、排気システムとなっているのが実情である。
また、室外からの空気の供給がなされないまま、厨房内空気を強制的に室外に排出するため、厨房内が負圧になってしまい、厨房内空気の排出も効果的に行うことができない。
さらに、厨房等において加熱機器を用いて調理する際には、臭いを含んだ湯気や煙が発生するため、室内外への空気の流通量を考慮した計画的な換気システムが設置されなければ、厨房からの湯気や煙によって室内空気に臭いがついてしまうという課題があった。
【０００５】
そこで、調理により発生した煙等により汚れた厨房内の空気を室外に排出すると共に、新鮮な室外空気を厨房内に導入する外気導入路を有する換気扇装置が特許文献１に開示されている。
【特許文献１】特開２００１−２７２０６６号公報
【発明の開示】
【発明が解決しようとする課題】
【０００６】
特許文献１に記載の換気扇装置は、換気扇と、加熱機器の上方に設けられたレンジフードと、レンジフードに一体に又はレンジフードの近傍に設けられた外気導入路とにより構成されており、換気扇により厨房内の汚れた空気を排出すると共に、外気を厨房内に取り込むことができるので、厨房内が負圧になることなく、効率的に汚れた厨房内の空気を排出することができる。
【０００７】
ところが、特許文献１に記載の換気扇装置では、レンジフードで厨房内の空気を収集して室外へ排出していると共に、レンジフードの上面部分から室外空気を厨房内に取り込んでいる。このため、厨房内に取り込まれた室外空気は、厨房内の汚れた空気と混合することなく、直ちにレンジフードに収集されて室外に排出されてしまうため、厨房内の汚れた空気を効率的に室外へ排出することができないといった課題がある。
【０００８】
そこで、本発明は、厨房内に取り込んだ室外空気により、厨房内の汚れた空気を確実に室外へ排出し、厨房内空気を効率的に換気することが可能な換気システムの提供を目的としている。
【課題を解決するための手段】
【０００９】
本発明は、厨房内において加熱器具の使用に伴って発生する湯気や煙を含む室内空気を室外へ排出する排気用ファンと、厨房内の壁面に設けられ、厨房内と室外とを連通する連通孔と、前記連通孔から取り込んだ室外空気を厨房側へ導く流路とにより構成され、前記流路の厨房側端部が加熱器具または加熱器具の近傍に設けられていることを特徴とする換気システムである。
【００１０】
また、他の発明は、厨房内において加熱器具の使用に伴って発生する湯気や煙を含む室内空気を室外へ排出する排気用ファンと、厨房の壁面に設けられ、厨房内と室外とを連通する連通孔と、前記加熱器具を載置する載置台と、前記連通孔から取り込んだ室外空気を厨房側へ導く流路とにより構成され、前記流路の厨房側端部は、前記載置台の上端面に設けられていることを特徴とする換気システムである。
【００１１】
また、他の発明は、厨房内において加熱器具の使用に伴って発生する湯気や煙を含む室内空気を室外へ排出する排気用ファンと、室内の床面または壁面に設けられ、厨房内と室外とを連通する連通孔と、前記加熱具を載置する載置台と、前記連通孔から取り込んだ室外空気を厨房側へ導く流路とにより構成され、前記流路の厨房側端部が加熱器具または加熱器具の近傍に設けられていることを特徴とする換気システムである。
【００１２】
さらに他の発明は、厨房内において加熱器具の使用に伴って発生する湯気や煙を含む室内空気を室外へ排出する排気用ファンと、室内の床面または壁面に設けられ、厨房内と室外とを連通する連通孔と、前記加熱具を載置する載置台と、前記連通孔から取り込んだ室外空気を厨房側へ導く流路とにより構成され、前記流路の厨房側端部は、前記載置台の上端面に設けられていることを特徴とする換気システムである。
以上のように、厨房内と室外とを連通させる連通孔の形成箇所を厨房内の壁面に限定せず、厨房を含む室内の床面や壁面に形成することにより、オープンキッチン形式を採用している住宅においても、湯気や煙を含む室内空気を効率的に室外へ排出することが可能になる。
【００１３】
また、前記流路は床下空間を通過することを特徴とする。
さらに、前記流路の一部が地下に埋設されていることを特徴とする。
以上により、床下空間や地下部分といった四季を通じて温度変化の少ない場所において室外空気の熱交換を行うことができる。特に冬季においては、冷たい外気がそのまま室内に流入することがなく、取り込んだ室外空気と室内空気の温度差を緩和させることができ、空調の乱れを最小限に抑えることが可能になる。
【００１４】
また、前記載置台は前記加熱器具を載置する下方に物品の収納空間を備え、当該収納空間が前記流路の一部を構成することを特徴とする。これにより、載置台の収納空間に洗浄済みの食器等を収納しておけば、室外空気が流通するので濡れた食器等が自然乾燥される。
【００１５】
さらに、前記流路には、中間ファンが配設されていることを特徴とする。これにより、より効率的に室外空気を室内に取り込むことができる。また、室内の圧力低下を緩和することも可能になる。
また、前記流路の厨房側端部は、前記加熱器具の外周縁を取り囲むように配置されていることを特徴とする。これにより、室外空気が加熱器具の周辺から換気扇に収集されるまでの間、室外空気が加熱器具の使用により生じる湯気や煙等の汚れた厨房内の汚れた空気を拡散させることなく、効率的に厨房内の汚れた空気を室外へ排出させることが可能になる。
【００１６】
また、前記流路の厨房側端部には室外空気を水平方向に吹き出させる風向板が取り付けられていることを特徴とする。これにより、調理中に吹きこぼれがあったとしても、流路内に吹きこぼれた液体等が入り込んでしまうおそれがなくなる。
さらに、前記流路の中途部には、室外から厨房内に向けてのみ空気を通過させる逆止弁が設けられていることを特徴とする。これにより、換気扇が作動していない場合においては、室外空気が室内に侵入することがないので、高気密住宅としての性能を維持することができる。
【発明の効果】
【００１７】
本発明にかかる換気システムによれば、加熱器具の使用により生じる湯気や煙の発生位置より下方側から室外空気を供給して、室外空気の気流と共に湯気や煙を含んだ厨房内の汚れた空気を排気用ファンによって収集するようにしているから、厨房内で湯気や煙が拡散せず、効率的に室外へ排出することができる。また、室外空気が湯気や煙を含む厨房内の汚れた空気を下方側から押し上げる状態になるので、効率的に厨房内の汚れた空気を室外へ排出させることが可能になる。
【発明を実施するための最良の形態】
【００１８】
以下、本発明にかかる換気システムの実施の形態について、図面に基づいて説明する。
【実施例１】
【００１９】
図１は、実施例１における換気システムを備える厨房の概略を示す説明面図である。図２は、図１における加熱器具の平面図である。図３は、流路の厨房側端部付近の拡大説明図である。
実施例１における換気システム１０は、調理に用いる加熱器具２０と、加熱器具２０の使用により発生する湯気や煙を含む汚れた厨房内空気を室外へ排出する排気用ファン１２と、排気用ファン１２の厨房内側近傍に設けられ、厨房内空気を収集するレンジフード１４と、厨房５０の壁面５０ａに形成され、厨房５０の内部と室外とを連通する連通孔１６と、連通孔１６に内挿され、室外空気を厨房５０に導く流路としてのダクト１８とにより構成されている。ダクト１８の中途部には逆止弁３０が配設されている。
【００２０】
実施例１における加熱器具２０はガスレンジである。ガスレンジ２０は、図示しないシンクや収納空間を備えるレンジ台４０に配設されている。レンジ台４０の上面にはガスレンジ２０を配置する凹部４２が形成されている。また、凹部４２の内底面にはダクト１８が接続される開口部４２ａが形成されている。開口部４２ａにはメッシュ板等が配設されていると好ましい。
ガスレンジ２０には脚部２２が形成されている。図１に示すように、ガスレンジ２０は、凹部４２の内底面上に自立しており、凹部４２とガスレンジ２０の底面および側面との間に隙間Ｓが形成されている。
【００２１】
厨房５０の壁面５０ａに形成された連通孔１６と、開口部４２ａとの間は塩ビパイプ等の管体からなるダクト１８により連通している。ダクト１８に用いられる管体は、図１に示すように略Ｓ字型に形成されているものが好ましい。
なお実施例１においては、凹部４２とガスレンジ２０の間に形成された隙間Ｓは、流路の一部であるものとしている。
【００２２】
ガスレンジ２０の風向板２４と、レンジ台４０の上端面により形成された水平方向の開口部がダクト１８の室内側端部１８ａである。ダクト１８の室外側端部１８ｂから取り込まれた室外空気は、ダクト１８および逆止弁３０を経由して厨房５０に取り込まれた後、図２に示すようにガスレンジ２０の風向板２４に沿ってから水平方向に吹き出す。
【００２３】
図示しないが、ダクト１８の中途部若しくは端部１８ａ、１８ｂのいずれか一方の部分に室外空気を効率的に取り込むための中間ファン（図示せず）を配設すれば尚好適である。このような中間ファンを配設すれば、排気用ファン１２による厨房内空気の強制排出による厨房内の極端な減圧を緩和することができる。これにより、急激な気圧変化に伴う頭痛、耳鳴り等の不具合が生じるおそれがなくなり、快適な調理が可能になる。なお、中間ファンは排気用ファン１２と連動する形態の他、排気用ファン１２と独立に作動する形態のいずれの形態であってもよい。
【００２４】
ダクト１８の室内側端部１８ａについて説明する。図３は、図１におけるＡ部分の拡大図である。
ダクト１８の室内側端部１８ａを構成するレンジ台４０には、ガスレンジ２０の風向板２４の先端部２４ａの位置より若干内側に凸片４４が配設されている。凸片４４の高さは、ダクト１８の室内側端部１８ａの開口部高さの半分程度の高さに設けられている。また、凸片４４は、空気の流入側の脚が傾斜する台形状に形成されている。
【００２５】
また、流路の室外側端部１８ｂは、開口部が下方に向けられており、ゴミや埃の吸引を防止するフィルタ（図示せず）が配設されている。
なお、図４に示すように、ダクト１８の中途部には、室外空気が室外側から厨房内側にのみ通過可能な逆止弁３０が配設されている。
【００２６】
逆止弁３０について説明する。図４は、図１における逆止弁部分の拡大説明図である。図５は、逆止弁を室外側から見た正面図である。
逆止弁３０は、厨房５０の壁面５０ａ内に設けられている。逆止弁３０は、ダクト１８の塩ビ管の中心を通り、径方向に挿通した回転軸３２と、回転軸３２を中心として、厨房５０の方向に回動自在に取り付けた回動蓋３４と、厨房５０の方向に回動した回動蓋３４を再び当初位置に戻して、ダクト１８を閉塞する付勢手段３６とにより構成されている。
【００２７】
回動蓋３４は、ダクト１８の内径より小径で外周縁にはシール部材３８が取り付けられている。
付勢手段３６の一端側および他端側は、それぞれ、回動蓋３４の室外側面およびダクト１８の内壁面に取り付けられている。本実施の形態においては、付勢手段３６にバネを用いている。付勢手段であるバネ３６は、回動蓋３４の室外側であればどの位置に取り付けても良いが、バネ３６の伸びが少なくなる回転軸３２側の位置に取り付けられているのが好ましい。また、付勢手段３６は、バネに限定されるものではなく、例えば、公知の電動ダンパーを用いることももちろん可能である。
【００２８】
実施例１で示した換気システム１０における空気の流れについて説明する。
排気用ファン１２が作動すると、厨房部分の室内空気がレンジフード１４に向かって吸引され、室外へ排出される。厨房部分の室内空気が室外へ排出されると、厨房部分の気圧は減圧され、ダクト１８の内部に設けられた逆止弁３０の回動蓋３４が厨房５０側に回動する。
ダクト１８の室内側端部１８ａは厨房内空間に露出しているので、排気用ファン１２が厨房５０室内空気の排出を続けると、室外空気がダクト１８の室外側端部１８ｂから厨房内に取り込まれる。室外側端部１８ｂには、フィルタが配設されているので、厨房５０には、ゴミや埃等が厨房５０に取り込まれることはない。
【００２９】
取り込まれた室外空気は、ダクト１８内を経由し、逆止弁３０の回動蓋３４を厨房５０側に回動させた後、再びダクト１８を介してレンジ台４０の開口部４２ａからガスレンジ２０の底面の中央部分に向けて送出される。ガスレンジ２０の底面および側面と、凹部４２との間にはダクト１８の一部となる隙間Ｓがあるので、室外空気はガスレンジ２０の底面中央から各方向に分散するようにして送出される。
分散した室外空気は、隙間Ｓに沿って移動し、ガスレンジ２０の上端部分の室内側端部１８ａから風向板２４に沿って図２に示すように水平方向に吹き出される。
【００３０】
先にも説明したように、ダクト１８の室内側端部１８ａは、ガスレンジ２０の風向板２４とレンジ台４０とにより形成されていて、レンジ台４０の上端部分には、凸片４４が設けられている。凸片４４は、レンジ台４０からガスレンジ２０の風向板２４に向かって延出し、空気の流入側の脚が傾斜する台形形状に形成されているので、ダクト１８の室内側端部１８ａの流路断面積が縮小される。これにより、ダクト１８から排出される室外空気の速度を向上させると共に、流出方向を若干上向きにすることができる。
また、凸片４４は、ガスレンジ２０で加熱調理した鍋等からの吹きこぼれや、調理カスがダクト１８に侵入しないようにするためのダムとしての作用もなしている。
【００３１】
先にも説明したとおり、ガスレンジ２０の上端部付近から水平方向に排出された室外空気と、ガスレンジで調理している鍋やフライパンの調理物から発生する臭いを伴う湯気や煙は、排気用ファン１２およびレンジフード１４により収集され、室外へ排出される。
排気用ファン１２が作動している間、ガスレンジ２０からの室外空気は継続的に排出される。室外空気は、湯気や煙等と混合して湯気と煙等の汚れた空気を希釈させつつ、排気用ファン１２側へ押し出す作用をなす。また、湯気や煙を含む汚れた空気と、室外空気が発生箇所または排出箇所から最短距離で排気用ファン１２およびレンジフード１４に吸引されれば、室外空気の気流と共に湯気や煙を含む汚れた空気を効率的に排出することができる。さらには、室外空気が湯気や煙を含む汚れた空気を囲むバリアとしても作用するため、厨房内での臭いの拡散を防止することも可能である。
【００３２】
以上のように、高気密住宅における厨房５０で、排気用ファン１２を作動させて厨房内空気を強制的に排出する場合、室外空気を取り込みながらの排気となるので、厨房５０の内部空間が極端に減圧されることはない。これにより効率的に湯気や煙を排出することが可能になる。
また、排気用ファン１２の作動が停止すれば、厨房５０の内部空間の気圧の低減が緩和されるので、逆止弁３０の回動蓋３４がバネ３６の付勢力により元の位置に戻り、ダクト１８を閉塞し、室外空気の流入を防止する。これにより、高気密住宅の利点を損なうことがないため好適である。
【実施例２】
【００３３】
図６は、実施例２における換気システムを備える厨房の概略を示す説明図である。図面中に付された番号のうち、実施例１における各図面と共通する部分の説明は省略する。
本実施例においては、流路であるダクト１８が挿通される連通孔Rが床面Ｙに配設されている点で実施例１と異なっている。すなわち、連通孔Ｒに挿通されるダクト１８は、床下空間ＹＳを通過し、地中Ｇを経由した後に室外方向へと延び、地表面にあらわれるように配設されている。これにより、ダクト１８に取り込まれた室外空気は、地熱と床下の温度により加熱または冷却された後に厨房５０に供給される。
【００３４】
特に寒冷地における住宅の床下空間ＹＳには、床暖房システムが配設されていることが多いので、室外空気の加熱は、地熱のみならず暖房システムの廃熱を利用することもできるので問題なく行えることが多い。また、夏季においては室外空気を地熱により冷却し、室内空気との温度差を緩和させることができる。このように、四季を通して温度変化の少ない地熱を利用することにより、ダクト１８により取り込まれた室外空気による室内空気の温度変化を最小限に抑えることができるため好適である。
【００３５】
本実施例において中間ファンＦを配設する場合には、中間ファンＦをガスレンジ２０の下方部分に配設すればよい。これにより、収納空間の空気および収納空間の扉の隙間から収納空間に吸引される室内空気がバッファとなり、室外空気がダクト１８を通過する時間が極端に短くならないため、地熱または床下空間における十分な熱交換が可能になり好適である。
【００３６】
以上に、本発明にかかる換気システム１０について実施例に基づいて詳細に説明してきたが、本発明は、以上に説明した実施例に限定されるものではなく、発明の主旨を逸脱しない範囲において各種の変更を行ったとしても本発明の技術的範囲に属することはもちろんである。
例えば、本実施の形態におけるダクト１８は、室外側端部１８ｂからレンジ台４０に形成された凹部４２の上端面まで連続した形態になっているが、図７に示すように室外からレンジ台４０の収納部分までを連通させるだけの形態であってもよい。これにより、室外側端部１８ｂから取り込んだ室外空気はレンジ台４０の収納部分で一端開放され、収納部分を通過した後に、レンジ台４０の上部に設けられた開口部４２ａからレンジ台４０の底面に排出されることになる。これにより収納空間の空気が動かされ、収納空間内の湿気を除去することができ、衛生的な収納空間とすることが可能になり好適である。また、ダクト１８は、レンジ台４０の収納空間の下側から室外空気が流入するように配設すればさらに好適である。
【００３７】
また、ダクト１８の室内側端部１８ａは、レンジ台４０の上端面部分から上方に開口させる形態とする他、図８に示すように、ガスレンジ２０の下端面から上端面を連通させる連通路２６が形成されたガスレンジ２０の下部にダクト１８を接続し、ガスレンジ２０の上端面の外周縁近傍から室外空気を放出させる形態としてもよい。この際、開口部にはメッシュ板等を配設しておけば、吹きこぼれや調理カスがダクト１８に落下してしまうことはない。
【００３８】
また、冬季間の室外空気と室内空気の温度差を緩和させればよいだけの場合には、図９に示すように、ダクト１８を床下空間ＹＳに通過させた後、地下に埋設させることなく、住宅の基礎の壁面６０に形成した連通孔Rから室外に向かうように配設する形態であってもよい。これによれば、ダクト１８から取り込まれた室外空気は、床下空間を通過して床暖房システムのボイラ等の加熱手段（図示せず）の廃熱を吸収した後に室内に供給される。
【００３９】
さらには、逆止弁３０の回転軸３２、回動蓋３４、シール部材３８は、断熱性を有する材料により形成するか、断熱材により被覆するようにして形成すれば、住宅全体の断熱性能を維持することができる。
さらにまた、以上の実施例においては、加熱器具２０としてガスレンジを用いているが、これに限定されるものではなく、電気調理器や電磁調理器等の他の加熱器具２０とすることができるのはいうまでもない。
【図面の簡単な説明】
【００４０】
【図１】実施例１における換気システムを備える厨房の概略を示す説明面図である。
【図２】図１における加熱器具の平面図である。
【図３】流路の厨房側端部付近の拡大説明図である。
【図４】図１における逆止弁部分の拡大説明図である。
【図５】逆止弁を室外側から見た正面図である。
【図６】実施例２における換気システムを備える厨房の概略を示す説明図である。
【図７】他の実施形態の一例を示す説明図である。
【図８】ガスレンジ本体から室外空気を吹き出す形態を示す説明図である。
【図９】ダクトの配設状態の一例を示す説明図である。
【符号の説明】
【００４１】
１０  換気システム
１２  排気用ファン
１６  連通孔
１８  流路
２０  ガスレンジ
３０  逆止弁
３２  回転軸
３４  回動蓋
３６  バネ
３８  シール部材
４０  レンジ台
４２  凹部
４４  凸片
５０  厨房
Ｆ  中間ファン
Ｇ  地中
Ｙ  床面
ＹＳ  床下空間
【図１】
2005195312.tif 000003
【図２】
2005195312.tif 000004
【図３】
2005195312.tif 000005
【図４】
2005195312.tif 000006
【図５】
2005195312.tif 000007
【図６】
2005195312.tif 000008
【図７】
2005195312.tif 000009
【図８】
2005195312.tif 000010
【図９】
2005195312.tif 000011